(57)【特許請求の範囲】
【請求項１】
受電設備に配設される高圧開閉器を駆動制御する開閉器制御装置に対して、前記高圧開閉器内の負荷側の配電線路に一次側巻線が接続される制御電源用変圧器から電力を供給する高圧開閉器の制御電源装置において、
前記高圧開閉器の投入・開放動作に連動して開閉する低圧用のスイッチを前記制御電源用変圧器の二次側巻線に直列に接続し、前記接続電源用変圧器の二次側巻線から出力される電力を前記低圧用のスイッチを介して前記開閉器制御装置に供給し、絶縁耐力試験時において前記高圧開閉器を開放状態にして負荷側の配電線路に耐圧試験用電源を接続し、また動作試験時において前記開閉器制御装置に供給される電力の入力端子に低圧別電源を分岐して接続することを
特徴とする高圧開閉器の制御電源装置。
【発明の詳細な説明】
【０００１】
【発明の属する技術分野】
本発明は高圧開閉器に接続し制御する開閉器制御装置に電源を供給する高圧開閉器の制御電源装置に関する。
【０００２】
【従来の技術】
当初の電源トランス内蔵開閉器においては、開閉器の負荷側Ｕ相，Ｗ相にＶＴの一次側が接続されており、ＶＴの二次側端子から制御ケーブルで直接保護継電器に接続される構造であったため、保護継電器の動作試験時に前記制御ケーブルの電源線を外さないと、ＶＴの一次側へ電圧が昇圧されて発生するため、非常に危険であった。
【０００３】
そこで、この種の高圧開閉器の制御電源装置の改良としては特許番号第２６０１７５９号に開示されるものがあり、これを図３に従来の高圧開閉器の制御電源装置の回路構成図として示す。
【０００４】
同図において従来の高圧開閉器の制御電源装置は、固定接触子１１Ｕ、１１Ｖ、１１Ｗ及び可動接触子１２Ｕ、１２Ｖ、１２Ｗを有する高圧開閉器１を制御する開閉器制御装置３に電源を供給する高圧開閉器の制御電源装置であって、前記高圧開閉器１の可動接触子１２Ｕ、１２Ｗの可動に伴って接触自在となるように開閉接点１３Ｕ、１３Ｗを配設し、この開閉接点１３Ｕ、１３Ｗを制御電源用変圧器２の一次側巻線２１に直接接続し、この制御電源用変圧器２の二次側巻線２２を前記開閉器制御装置３に接続し、この二次側巻線２２の出力電圧を開閉器制御装置３に制御用電源として供給する構成である。
【０００５】
前記開閉接点１３Ｕ、１３Ｗは高圧開閉器１の可動接触子１２Ｕ、１２Ｖ、１２Ｗが可動して固定接触子１１Ｕ、１１Ｖ、１１Ｗへの投入・開放動作に伴って、可動接触子１２Ｕ、１２Ｗに接触又は離反する構成である。この開閉接点１３Ｕ、１３Ｗは、常時バネ等の力で各固定接触子１１Ｕ、１１Ｗと可動接触子１２Ｕ、１２Ｗとの間に突出しているが、図中に鎖線で示す位置に可動接触子１２Ｕ、１２Ｗが位置した状態では前記バネ等の力によりこの可動接触子１２Ｕ、１２Ｗへの接触を確実なものとしている。
【０００６】
従って、各可動接触子１２Ｕ、１２Ｖ、１２Ｗが相応する各固定接触子１１Ｕ、１１Ｖ、１１Ｗに接触すると同時に、各開閉接点１３Ｕ、１３Ｗが各可動接触子１２Ｕ、１２Ｗに接触する。この接触により固定接触子１１Ｕ、１１Ｖ、１１Ｗ又は可動接触子１２Ｕ、１２Ｖ、１２Ｗのいづれかから供給される電流が開閉接点１３Ｕ、１３Ｗを介して制御電源用変圧器２の一次側巻線２１に流れ、この一次側巻線２１の電圧（例えば、６，６００Ｖ）を二次側巻線２２で所定の電圧（例えば１００Ｖ）に降圧して開閉器制御装置３へ供給する。
【０００７】
また、前記可動接触子１２Ｕ、１２Ｖ、１２Ｗが相応する各固定接触子１１Ｕ、１１Ｖ、１１Ｗから離反すると同時に、開閉接点１３Ｕ、１３Ｗからも離反することとなる。この開閉接点１３Ｕ、１３Ｗからの可動接触子１２Ｕ、１２Ｗの離反により制御電源用変圧器２の一次側巻線２１への電源の供給も停止する。
【０００８】
このような高圧開閉器１を含む受電設備は、この工事が終了した後に電気主任技術者のもとで自主検査として竣工試験が行われる。この竣工試験は、外観検査、接地抵抗測定、絶縁抵抗測定（高圧側及び低圧側）、絶縁耐力試験、保護継電器試験、インターロック及びシーケンス等の動作試験がある。この竣工試験において、絶縁耐力試験については図４に示すように耐圧試験用電源（即ち、耐圧試験器）１２０を接続し、負荷側の配電線路１００Ｕ、１００Ｖ、１００Ｗを一相毎又は三相一括で実施される。また、動作試験については、電源入力端子３１ａ、３１ｂに動作試験装置の低圧別電源（即ち、動作試験器）１１０を接続し、前記制御電源用変圧器２の二次側巻線２２に接続される出力端子に開閉器制御装置３を制御ケーブルにて接続した状態で、この開閉器制御装置の電源入力端子３１ａ、３１ｂに低圧別電源１１０から１００［Ｖ］の制御電圧として印加して、開閉器制御装置３から高圧開閉器１の動作を制御する。
【０００９】
前記絶縁耐力試験の場合には、高圧開閉器１の可動接触子１２Ｕ、１２Ｖ、１２Ｗが固定接触子１１Ｕ、１１Ｖ、１１Ｗから離反して開放状態にあり、同時に可動接触子１２Ｕ、１２Ｗから開閉接点１３Ｕ、１３Ｗが離反していることから、耐圧試験用電源１２０から試験電圧１０，３５０［Ｖ］を誤って負荷側線路１００Ｕ（又は１００Ｖ、１００Ｗ）に接続される配電線路に一相毎に印加した場合においても制御電源用変圧器２の一次側巻線２１には電源印加されることがなく安全な絶縁耐力試験が可能となる。
【００１０】
また、前記制御電源用変圧器２の二次側巻線２２に設けられた出力端子２２ａ、２２ｂに接続される開閉器制御装置の電源入力端子に低圧別電源１１０から制御電圧１００［Ｖ］が印加されて動作試験が実行された場合においても、高圧開閉器１の可動接触子１２Ｕ、１２Ｖ、１２Ｗが開閉接点１３Ｕ、１３Ｗから離反していることから、二次側巻線２２から逆に昇圧され誘起される高電圧（約６ｋＶ）が負荷側線路１００Ｕ、１００Ｖ、１００Ｗに接続される配線路に廻り込むことなく安全な動作試験が可能となる。
【００１１】
【発明が解決しようとする課題】
従来の高圧開閉器の制御電源装置は以上のように構成されていたことから、高圧開閉器１の可動接触子１２Ｕ、１２Ｖ、１２Ｗに接離する高圧側の開閉接点１３Ｕ、１３Ｗを配設しなければならず、高圧開閉器１の構造が複雑化すると共に、十分な絶縁距離を確保するために形状が大型化するという課題を有する。また、この高圧側における開閉機構とするために、製造及び製品のコストが上昇するという課題を有する。さらにこの可動接触子１２Ｕ、１２Ｗと開閉接点１３Ｕ、１３Ｗとも高圧用の開閉機構とするため、製造上及び性能上高度な技術が要求されるという課題を有する。
【００１２】
本発明は前記課題を解消するためになされたもので、簡略化且つ小型化できると共に、製造及び製品コストを低減することができる高圧開閉器の制御電源装置を提供することを目的とする。
【００１３】
【課題を解決するための手段】
本発明に係る高圧開閉器の制御電源装置は、受電設備に配設される高圧開閉器を駆動制御する開閉器制御装置に対して、前記高圧開閉器内の負荷側の配電線路に一次側巻線が接続される制御電源用変圧器から電力を供給する高圧開閉器の制御電源装置において、前記高圧開閉器の投入・開放動作に連動して開閉する低圧用のスイッチを前記制御電源用変圧器の二次側巻線に直列に接続し、前記接続電源用変圧器の二次側巻線から出力される電力を前記低圧用のスイッチを介して前記開閉器制御装置に供給し、絶縁耐力試験時において前記高圧開閉器を開放状態にして負荷側の配電線路に耐圧試験用電源を接続し、また動作試験時において前記開閉器制御装置に供給される電力の入力端子に低圧別電源を分岐して接続するである。このように本発明においては、高圧開閉器の負荷側の配電線路に制御電源用変圧器の一次側巻線が接続されると共に、前記高圧開閉器の投入・開放動作に連動して動作する低圧用のスイッチが前記制御電源用変圧器の二次側巻線に直列に接続され、この二次側巻線から高圧開閉器を駆動制御する開閉器制御装置に電力を供給することにより、動作試験時において制御電源用変圧器の二次側巻線の出力端子と開閉器制御装置の入力端子に接続される低圧別電源から低電圧が印加されても変圧器一次側巻線へ逆に昇圧された高電圧を誘起せず、また絶縁耐力試験においても負荷側の配電線路に耐圧試験電源が接続されて高圧電源の印加中において変圧比に応じた過電圧が開閉器制御装置へ供給されることはない。また、制御電源用変圧器を内蔵する高圧開閉器の構造を簡略化できると共に、形状を小型化できる。また、この高圧開閉器を簡略な構造で小型に形成できることから、製造・製品コストを低減することができる。
【００１４】
【発明の実施の形態】
（本発明の一実施形態）
以下、本発明の一実施形態に係る高圧開閉器の制御電源装置を図１及び図２にに基づいて説明する。この図１は本発明の一実施形態に係る高圧開閉器の制御電源装置の回路構成図、図２は図１に記載する高圧開閉器の制御電源装置の竣工試験時の絶縁耐力試験、動作試験回路構成図を示す。
【００１５】
前記各図において本実施形態に係る高圧開閉器の制御電源装置は、高圧開閉器１の負荷側線路１００Ｕ、１００Ｗに接続される一次側巻線２１及びこの一次側巻線２１に磁気結合して変圧する二次側巻線２２を備える制御電源用変圧器２と、前記高圧開閉器１の投入・開放動作に連動して開閉し、前記制御電源用変圧器２の二次側巻線２２に直列に接続される低圧用スイッチ４とを備え、前記二次側巻線２２に誘起される出力電圧を開閉器制御装置３へ供給する構成である。
【００１６】
前記高圧開閉器１は、電源側線路１００Ｒ、１００Ｓ、１００Ｔに接続される固定接触子１１Ｕ、１１Ｖ、１１Ｗに、負荷側線路１００Ｕ、１００Ｖ、１００Ｗに接続される可動接触子１２Ｕ、１２Ｖ、１２Ｗが接触（図１に鎖線で示す位置）、離反（図１に実線で示す位置）し、この接触・離反により投入・開放の動作を行なうと共に、この投入・開放に伴って前記低圧用スイッチ４の入・切を制御する構成である。
【００１７】
前記二次側巻線２２と低圧用スイッチ４との直列回路は、出力端子２２ａ、２２ｂを介して開閉器制御ケーブルによって開閉器制御装置３の電源入力端子３１ａ、３１ｂに接続され、この電源入力端子３１ａ、３１ｂに低圧別電源１１０が分岐して接続される構成である。
【００１８】
次に、前記構成に基づく本実施形態に係る高圧開閉器の制御電源装置の絶縁耐力試験及び動作試験における電力供給動作について説明する。
まず、前記従来装置と同様に高圧開閉器１を開放状態とし、負荷側線路１００Ｕ、１００Ｖ、１００Ｗに接続される配線路に耐圧試験電源１２０を接続し、絶縁耐力試験を開始する。次に、開閉器制御装置の入力端子３１ａ、３１ｂに動作試験装置の低圧別電源１１０を分岐して接続し、前記絶縁耐力試験に引き続いて高圧開閉器１等の動作試験を実行する。この動作試験は、地絡事故、過電流（短絡）事故若しくは地絡と過電流（短絡）事故が同時発生した場合に各々相当する電流に対応した高圧開閉器１のトリップ動作状態を試験する。
【００１９】
この高圧開閉器１の各トリップ動作は、開閉器制御装置３の電源入力端子３１ａ、３１ｂに接続された低圧別電源１１０から１００［Ｖ］の電圧が制御電圧として印加され、開閉器制御装置３の動作試験を実行する。このように電源入力端子３１ａ、３１ｂに制御電圧１００［Ｖ］を印加して開閉器制御装置３に供給しても、二次側巻線２２と低圧用スイッチ４との直列回路へは、この低圧用スイッチ４が切状態を維持していることから、二次側巻線２２へは印加されず、一次側巻線２１へ逆に昇圧することにより配電線路に高電圧がかかるという危険な状態となることを予め防止することができる。
【００２０】
前記制御電源用変圧器２の二次側巻線２２に低圧用スイッチ４を直列に接続し、この低圧用スイッチ４の入・切動作により低圧別電源１１０から出力される制御電圧の１００［Ｖ］が逆に昇圧され配電線路にかかることを阻止すると共に、耐圧試験用電源１２０を接続した状態でも開閉器制御用ケーブルを外さないで耐圧試験が可能となる。このように制御電源用変圧器２の低圧側である二次側巻線２２に低圧用スイッチ４を直列接続する構成を採ったことから、従来の制御電源用変圧器２を内蔵する高圧開閉器１であっても極めて容易に改良することができる。
【００２１】
（本発明の他の実施形態）
前記実施形態に係る高圧開閉器の制御電源装置においては制御電源用変圧器２の二次側巻線２２に直列に低圧用スイッチ４を接続する構成としたが、制御電源用変圧器２の一次側巻線２１に直列に高圧用スイッチを配設する構成とすることもできる。
【００２２】
【発明の効果】
以上のように本発明においては、高圧開閉器の負荷側の配電線路に制御電源用変圧器の一次側巻線が接続されると共に、前記高圧開閉器の投入・開放動作に連動して動作する低圧用のスイッチが前記制御電源用変圧器の二次側巻線に直列に接続され、この二次側巻線から高圧開閉器を駆動制御する開閉器制御装置に電力を供給することにより、動作試験時において制御電源用変圧器の二次側巻線に接続される低圧別電源から低電圧が印加されても一次側巻線へ逆に昇圧される高電圧を誘起せず、また絶縁耐力試験において開閉器制御用ケーブルを取り外さないで試験可能なため、作業の手間がかからない。また、制御電源用変圧器を内蔵する高圧開閉器の内部構造を簡略化できると共に、形状を小型化できる。また、この高圧開閉器を簡略な構造で小型に形成できることから、製造・製品コストを低減することができるという効果を奏する。
【図面の簡単な説明】
【図１】本発明の一実施形態に係る高圧開閉器の制御電源装置の回路構成図である。
【図２】図１に記載の高圧開閉器の制御電源装置における竣工試験時の絶縁耐力試験及び動作試験回路構成図である。
【図３】従来の高圧開閉器の制御電源装置の回路構成図である。
【図４】当初のＶＴ内蔵の高圧開閉器の制御電源装置の絶縁耐力試験及び動作試験回路構成図である。
【符号の説明】
１  高圧開閉器
２  制御電源用変圧器
３  開閉器制御装置
４    低圧用スイッチ
１１Ｕ、１１Ｖ、１１Ｗ  固定接触子
１２Ｕ、１２Ｖ、１２Ｗ  可動接触子
１３Ｕ、１３Ｗ  開閉接点
２１  一次側巻線
２２    二次側巻線
２２ａ、２２ｂ  出力端子
３１ａ、３１ｂ  電源入力端子
４１  低圧用固定スイッチ
４２  低圧用可動スイッチ
１００Ｒ、１００Ｓ、１００Ｔ  電源側配線路
１００Ｕ、１００Ｖ、１００Ｗ  負荷側線路
１１０  低圧別電源
１２０  耐圧試験用電源
【図１】
0003627785.tif 000002
【図２】
0003627785.tif 000003
【図３】
0003627785.tif 000004
【図４】
0003627785.tif 000005